(57)【特許請求の範囲】
【請求項１】
反転させることによって両面を使用できるようにした回転可能な黒板本体と、前記黒板本体を回転可能に支持する支持体と、使用位置にある前記黒板本体の下縁に係合してその回転を禁止するとともに前記黒板本体から落ちる粉等を受ける粉受を操作部として操作することによりその係合を解除して黒板本体の回転を許容するロック機構とを具備してなり、前記ロック機構が、基端を前記支持体の一部に回動可能に軸着され前記基端から前記黒板本体の面方向に沿って延出した回動端を前記黒板本体の面方向に沿った仮想面内で上下方向に回動する回動アームと、前記回動アームの回動端に設けられ黒板本体に係合すると共に、上面の前後端部を略山形の形状、すなわち、黒板本体の厚み方向中央に向かって漸次細くなるテーパ状をなすテーパ面を有する係合部とを具備してなり、更に、前記黒板本体が、その枠材の上下縁に、先端部に向かって漸次細くなるテーパ面を有していることを特徴とする回転黒板。
【請求項２】
前記ロック機構が、前記回動アームを上方に付勢する付勢部材と、前記黒板本体の上下縁に設けられ前記係合部に係合する被係合部とを具備してなることを特徴とする請求項１記載の回転黒板。
【請求項３】
前記ロック機構を、黒板本体の巾方向両端に対をなして設けていることを特徴とする請求項１又は２記載の回転黒板。
【請求項４】
前記操作部が、対をなすロック機構の回動アームの回動を連動して操作し得るものであることを特徴とする請求項３記載の回転黒板。
【発明の詳細な説明】
【０００１】
【発明の属する技術分野】
本発明は、黒板本体の回転を使用位置で禁止するロック機能を有した回転黒板に関するものである。
【０００２】
【従来の技術】
回転黒板とは、黒板本体の表裏面を反転させその両面を使用できるようにしたもので、通常、黒板本体の両側方に設けられ黒板本体を回転可能に枢支する一対の脚支柱と、起立位置で黒板本体の回転を禁止するロック機構とを備えている。
従来利用されてきたロック機構としては、例えば、一方の脚支柱の内側面に貼着したゴム材と、他方の脚支柱の内側面からピンを螺合させて進退させるべく設けたグリップとから構成したものが知られている。これらゴム材やピンは、黒板本体の使用位置においてその側面下端部に対応する位置に設けられており、使用位置でグリップを回してピンを突出させ黒板本体の一方の側面を押圧することにより他方の側面をゴム材に押圧し、これら側面とゴム材間の摩擦により黒板本体の回転を禁止するものである。
【０００３】
【発明が解決しようとする課題】
しかしながら、このものは、ロック時及びロック解除時共にグリップを回転させる動作が必要で、特にロック時にはかなり強い力でグリップを回しピンを締め込んでいく動作が必要である。そのため、例えば、手の不自由な人や、女性や老人には操作が行いづらい上、どの程度までピンを締め込めば、黒板本体がロックされるのか判断が難しく、衝撃等で書き込み中不意にロックが解除されて黒板本体が回転することがある等、回転を禁止する確実性が低いものであった。
【０００４】
一方、左右の脚支柱を連結する横架材の上面左右両端にその先端に係合凹部を有する係合部材を上下動可能に設け、使用位置において黒板本体の下縁部を前記係合凹部に係合させて黒板本体の回転をロックするものもある。
この係合部材を上下動させる機構としては、レール部材等から構成されるスライド機構を介して上下方向にスライドさせるものや、基端を横架材に軸着し黒板本体の厚み方向に沿った仮想面内で回動する回動アームの回動端に係合部材を配設しているようなもの等が考えられる。
【０００５】
しかしながら、前者のようなスライド機構は、回転黒板のように係合部材を頻繁に上下動させるものでは部材の摩耗が激しくなる等、耐久性の点で問題がある。一方、後者の回動アームの場合、黒板本体と係合部材の係合を円滑なものにすべく、該回動アームの上下動を鉛直方向に近付けようとすると回動アームが黒板本体の厚み方向に飛び出し嵩高いものとなる恐れがある。
【０００６】
【課題を解決するための手段】
このような不具合を解決するために、本発明の回転黒板は、ロック機構を構成する回動アームを黒板本体の面方向に沿って延出し、前記面方向に沿った仮想面内で回動するものとしている。
【０００７】
【発明の実施の形態】
すなわち、本発明の回転黒板は、反転させることによって両面を使用できるようにした回転可能な黒板本体と、前記黒板本体を回転可能に支持する支持体と、使用位置にある前記黒板本体の下縁に係合してその回転を禁止するとともに前記黒板本体から落ちる粉等を受ける粉受を操作部として操作することによりその係合を解除して黒板本体の回転を許容するロック機構とを具備してなり、前記ロック機構が、基端を前記支持体の一部に回動可能に軸着され前記基端から前記黒板本体の面方向に沿って延出した回動端を前記黒板本体の面方向に沿った仮想面内で上下方向に回動する回動アームと、前記回動アームの回動端に設けられ黒板本体に係合すると共に、上面の前後端部を略山形の形状、すなわち、黒板本体の厚み方向中央に向かって漸次細くなるテーパ状をなすテーパ面を有する係合部とを具備してなり、更に、前記黒板本体が、その枠材の上下縁に、先端部に向かって漸次細くなるテーパ面を有していることを特徴とする。
【０００８】
このような構成のものであると、黒板本体の厚み方向への飛び出しを防止しながら回動アームの長さを自由に設定することが可能となり、特に、係合部の昇降を鉛直方向に近付けるべく回動アームを長尺に設定しても該回動アームを黒板本体の厚み内に収容して、外観を良好なものとしながら、黒板本体と係合部の係合動作も円滑なものとすることが可能となる。しかも、通常、上記構成の回転黒板においては、黒板本体は、厚み方向に沿った仮想面内で回転するため、該黒板本体の回転方向と係合部の回動方向は直交することとなる。そのため、黒板本体が、正逆どちらの回転方向から係合部に近付いても該係合部と黒板本体の係合動作が同様に行われることとなり、係合部と黒板本体の係合条件を黒板本体の正逆両方向で同一に設定することが容易となる。また、回動アームは、円滑な上下動作が可能となる上、例えば、スライド機構等に比べて部材の摩耗が少なく、耐久性の高いものとなるという利点もある。
【０００９】
また、ロック機構の具体的な構成としては、前記回動アームを上方に付勢する付勢部材と、前記黒板本体の上下縁に設けられ前記係合部に係合する被係合部とを具備してなるものを挙げることができる。
ロックの確実性を高めるには、ロック機構を、黒板本体の巾方向両端に対をなして設けていることが望ましい。
【００１０】
また、ロック機構を黒板本体の巾方向両端に対をなして設けている場合、前記操作部が、対をなすロック機構の回動アームの回動を連動して操作し得るものであることが望ましい。
【００１１】
【実施例】
以下、本発明の一実施例について図面を参照して説明する。
この回転黒板Ａは、図１に示すように、反転させることによって両面を使用できるようにした回転可能な黒板本体１と、前記黒板本体１を回転可能に支持する支持体たる脚２と、前記黒板本体１から落下する粉等を受ける可動の粉受４と、前記粉受４を操作部とし使用位置にある前記黒板本体１に係合してその回転を禁止するとともに前記粉受４を操作することによりその係合を解除して黒板本体１の回転を許容するロック機構５とを具備してなるものである。
【００１２】
黒板本体１は、書き込み板１ａと、枠材１ｂとを具備してなり、その左右両側面中央付近において脚２に回動可能に枢支されたものである。ここでいう書き込み板１ａは、水性ペン等による書き込みを行うホワイトボードや、チョーク等により書き込みを行うチョークボードを指すものである。枠材１ｂは、書き込み板１ａの周囲に周設したものである。
【００１３】
脚２は、前記黒板本体１の両側方に設けられた対をなす角パイプ製の支柱２ａと、この支柱２ａの下端を支持してなるベース２ｂと、対をなす支柱２ａを連結すべく前記黒板本体１の下方に配設された横架材２ｄとを具備してなる。支柱２ａは、その上端部に設けたピン１５を介して前記黒板本体１の上下方向中心部を回転可能に支持している。ベース２ｂは、支柱２ａと同様角パイプ製のもので、前後方向に配され、その下面には、黒板本体１を移動自在にすべくキャスタ２ｃが設けられている。横架材２ｄは、黒板本体１が回転するときに干渉しない位置で左右の支柱２ａ間に横架させた角パイプ製のものである。
【００１４】
粉受４は、図１〜図３に示すように、その左右両端近傍に配設してなる一対の粉受ヒンジ部７を介して前記横架材２ｄに回動可能に枢支されているものであり、黒板本体１の巾方向ほぼ全長に亘って配設されている。この粉受４は、板金等を折り曲げ加工して形成したもので、使用位置において床面Ｆに対して略水平に配設され書き込み板１ａから落下する粉やペン等を受ける受部４ａと、前記受部４ａの前端から前方に傾斜しながら起立してなる前方起立部４ｂと、前記受部４ａの後端から後方に傾斜しながら起立してなる後方起立部４ｄ並びにこの後方起立部４ｄの後端より略水平方向に伸び後述する回動アーム１０を下方に押圧する位置に配設される押圧部４ｃとを具備してなり、前記受部４ａの左右両端の下面に一対の略コ字型のブラケット６を溶接等適当な手段で固設している。前記粉受ヒンジ部７は、対向する前壁７ａ及び後壁７ｂと、これら前後壁７ａ、７ｂの上端を連結する頂壁７ｃと、前記前壁７ａの左右両縁から前方に突設してなる一対の対向する側壁７ｄとを具備してなるもので、前記前後壁７ａ、７ｂ及び頂壁７ｃを前記横架材２ｄの上部に嵌装しボルト等適当な手段で固設されている。そして、前記粉受４は、前記ブラケット６に穿設された孔６ａに、前記粉受ヒンジ部７の左右両側壁７ｄに設けられた孔７ｅから挿入されたピン８を挿入することによって前記粉受ヒンジ部７に回動可能に枢支されている。なお、前記粉受４の左右両端近傍には、後述するロック機構５の係合部材１２の上下動を許容する切り欠き４ｅが押圧部４ｃから後方起立部４ｄにかけて設けられている。
【００１５】
ロック機構５は、前記粉受４を操作部とし使用位置にある前記黒板本体１に係合してその回転を禁止するとともに前記粉受４を操作することによりその係合を解除して黒板本体１の回転を許容するもので、前記横架材２ｄの左右両端近傍に配設され上下方向に回動する一対の回動アーム１０と、前記回動アーム１０を上方に付勢する付勢部材たるねじりコイルバネ１１と、黒板本体１の上下縁に設けられた被係合部たる係合凸部９と、前記回動アーム１０の回動端に設けられ前記係合凸部９に係合する係合部たる係合部材１２とを具備してなるものである。
【００１６】
回動アーム１０は、前記粉受ヒンジ部７の頂壁７ｃの上面で且つ粉受４の押圧部４ｃの下方に配設された、対向する側壁１０ａ及び頂壁１０ｂを有し下方に開口してなるコ字型の部材で、その基端１０ｃを前記粉受ヒンジ部７の頂壁７ｃ上に上方を開口させて適当な手段で取着したコ字型部材１３に回動可能に外嵌している。具体的には、この回動アーム１０は、その基端１０ｃを前後方向に水平に配設した軸１４を介して前記コ字型部材１３に上下回動可能に軸着され、前記基端１０ｃから黒板本体１の面方向に沿って延出した先端１０ｄを前記黒板本体１の面方向に沿った仮想面内で上下方向に回動し得る回動端とし、この回動端の上面に前記係合部材１２を取着している。
【００１７】
ねじりコイルバネ１１は、キックバネと俗称される機能を営むために、回動アーム１０の側壁１０ａに穿設された孔１０ｅに挿通されている軸１４の周りに巻回されたもので、一方の端部１１ａを回動アーム１０の頂壁１０ｂの下面に、他方の端部１１ｂをコ字型部材１３の底壁１３ａの上面に当接し、該回動アーム１０を上方に向かって弾性付勢するように構成されている。
【００１８】
係合部材１２は、略直方体状のもので、上面中央に設けてなり前記係合凸部９と係合する係合凹部１２ａと、左右両側面の下方から左右両側方に向かって突設してなる被押圧部１２ｂとを具備してなる。なお、この係合部材１２の上面の前後端部は略山形の形状、すなわち、黒板本体１の厚み方向中央に向かって漸次細くなるテーパ状をなすテーパ面１２ｃとなっている。
【００１９】
係合凸部９は、前述した黒板本体１の枠材１ｂの上下縁に設けられたもので、先端部に向かって漸次細くなるテーパ面９ａと、前記テーパ面９ａから連続して鉛直方向に垂下する突条体９ｂとを具備してなるものである。
すなわち、このロック機構５は、使用位置にある黒板本体１の係合凸部９を係合部材１２の係合凹部１２ａに係合して黒板本体１の回転を禁止し、黒板本体１を回転させる場合には、粉受４を上方に回動させ押圧部４ｃで係合部材１２の被押圧部１２ｂを押圧することにより回動アーム１０を下方に回動させて前記係合凸部９と係合凹部１２ａとの係合を解除するものである。
【００２０】
次に、この回転黒板１の操作方法について具体的に詳述する。
黒板本体１は、図４における実線及び図５に示すように、使用位置において、黒板本体１の係合凸部９と係合部材１２の係合凹部１２ａが係合することによりその回転を禁止されている。黒板本体１の使用面を反転させる際には、使用者が粉受４を把持し上方に持ち上げるように回動させる。粉受４は、粉受ヒンジ部７を介して側面視時計回りに回動するため、図４中想像線で示すように、粉受４の後端側に配置されている押圧部４ｃが下降する。このとき、粉受４の押圧部４ｃの下面が、係合部材１２の被押圧部１２ｂを押圧するため、図４中想像線及び図６に示すように回動アーム１０の先端１０ｄが下降して、係合凹部１２ａと係合凸部９の係合が解除され、黒板本体１はその回転を許容される。係合凹部１２ａと係合凸部９の係合が解除された後、回動アーム１０は、ねじりコイルバネ１１により上方に付勢されているため、その先端１０ｄが上方に回動し、それに伴って、被押圧部１２ｂが粉受４の押圧部４ｃの下面を押圧することとなり、粉受４は側面視反時計回りに回動する。そして、受部４ａの下面が粉受ヒンジ部７の側壁７ｄの上面に当接した時点でそれ以上の回動を禁止され粉受４は使用位置に保持される。
【００２１】
一方、反転させた黒板本体１を再び使用位置に保持する場合には、反転後、黒板本体１の下縁側に位置することになった係合凸部９を係合部材１２の係合凹部１２ａに前方若しくは後方から近付け、係合凹部９のテーパ面９ａと係合部材１２のテーパ面１２ｃとを当接させると、係合凹部１２ａは経過的に退避動作を行った後に再び元の位置に復帰してその位置に到来した係合凸部９に自動的に係合することとなる。
【００２２】
このような構成のものならば、前記回動アーム１０が、前記黒板本体１の面方向に沿って延びこの面方向に沿った仮想面内で回動するものであるので、回動アーム１０を外部に飛び出させずに横架材２ｄの厚み内に収容することが可能となり、回動アーム１０の長さを所定距離取っても場所をとらないものとすることができる。また、このように回動アーム１０の長さを所定距離取ることが可能であるため、係合部材１２の昇降方向を鉛直方向に近付けることも容易となる。しかも、このものは、係合部材１２を前後方向に変位させるものではないため、黒板本体１が前方若しくは後方のどちらから係合部材１２に近付いてきても係合部材１２と黒板本体１の係合動作が同様に行われることとなり、係合部材１２と黒板本体１の係合条件を黒板本体１の正逆両回転方向で同一に設定することが容易となる。
【００２３】
さらに、本実施例では、粉受４をロック機構５の操作部を兼ねるものにしているので、特別な操作手段を別個に構成する必要がなく、部品点数を少なくしコストダウンを図るとともに、簡単な構成で適正なロック機能を確保することができる。また、レバー機構やグリップが不要となり、デザインをシンプルにすることが可能になる。さらに、通常、粉受４は、左右の脚間のほぼ全長に亘って設けられているものであるため、係合部材１２を左右離れた位置に配設しても別個に連動機構を設けることなく該粉受４によって適正に連動させることができるとともに、巾方向のどの位置からでも操作を行うことが可能となる。
【００２４】
また、前記ロック機構５が、上下方向に回動する回動アーム１０と、前記回動アーム１０を上方に付勢するねじりコイルバネ１１と、前記回動アーム１０の回動端に設けられた係合部材１２と、前記黒板本体１の上下縁に設けられ前記係合部材１２に係合する係合凸部９とを具備してなるので、簡単な構成で操作性を良好なものとすることができる。
【００２５】
なお、各部の具体的な構成は、上述した実施例に限定されるものではない。例えば、回動アーム１０を操作する操作部は、上述した粉受４に限定されず、図７に示すような回動アーム１０を直接的に操作すべく前記回動アーム１０の基端１０ｃ側を外方に延出して一体的に設けた操作レバー１５であってもよいのは勿論である。さらに、係合部をピン状のものとし、被係合部をそれを受容する穴状のものとしてもよい。その他の構成も、本発明の趣旨を逸脱しない範囲で種々変形が可能である。
【００２６】
【発明の効果】
本発明は、以上説明したような形態で実施され以下に記載されるような効果を奏する。
すなわち、本発明の回転黒板は、反転させることによって両面を使用できるようにした回転可能な黒板本体と、前記黒板本体を回転可能に支持する支持体と、使用位置にある前記黒板本体の下縁に係合してその回転を禁止するとともに前記黒板本体から落ちる粉等を受ける粉受を操作部として操作することによりその係合を解除して黒板本体の回転を許容するロック機構とを具備してなり、前記ロック機構が、基端を前記支持体の一部に回動可能に軸着され前記基端から前記黒板本体の面方向に沿って延出した回動端を前記黒板本体の面方向に沿った仮想面内で上下方向に回動する回動アームと、前記回動アームの回動端に設けられ黒板本体に係合すると共に、上面の前後端部を略山形の形状、すなわち、黒板本体の厚み方向中央に向かって漸次細くなるテーパ状をなすテーパ面を有する係合部とを具備してなり、更に、前記黒板本体が、その枠材の上下縁に、先端部に向かって漸次細くなるテーパ面を有していることを特徴とするものであるので、回動アームを外部に飛び出させずに黒板本体の厚み内に収容することが可能となり、見栄えを良好にするとともに回動アームの長さを所定距離取っても場所をとらないものとすることができる。特に、係合部の昇降を鉛直方向に近付けるべく回動アームを長尺に設定しても該回動アームを黒板本体の厚み内に収容することが可能となり、外観を良好なものとしながら、黒板本体と係合部の係合動作も円滑なものとし得る。しかも、本願構成によると、黒板本体が、正逆どちらの回転方向から係合部に近付いても該係合部と黒板本体の係合動作が同様に行われることとなり、係合部と黒板本体の係合条件を黒板本体の正逆両回転方向で同一に設定することが容易となる。また、回動アームは、円滑な上下動作が可能となる上、例えば、スライド機構等に比べて部材の摩耗が少なく、耐久性の高いものとなるという利点もある。
【００２７】
また、前記ロック機構が、前記回動アームを上方に付勢する付勢部材と、前記黒板本体の上下縁に設けられ前記係合部に係合する被係合部とを具備してなるならば、簡単な構成でロック機構の操作性を良好なものとすることができる。
前記ロック機構を、黒板本体の巾方向両端に対をなして設けているならば、ロックの確実性を高めることが可能となる。
【００２８】
また、特に、ロック機構を黒板本体の巾方向両端に対をなして設けている場合、操作部が、対をなすロック機構の回動アームの回動を連動して操作し得るものであるならば、巾方向両端のロック機構の操作が一度に行え、ロック操作が特に良好なものとなる。
【図面の簡単な説明】
【図１】本発明の一実施例を示す全体斜視図。
【図２】同要部を示す斜視図。
【図３】同要部を示す分解斜視図。
【図４】同作用説明図。
【図５】同作用説明図。
【図６】同作用説明図。
【図７】本発明の一変形例を示す模式的な図。
【符号の説明】
Ａ…回転黒板
１…黒板本体
２…支持体（脚）
４…操作部（粉受）
５…ロック機構
９…被係合部（係合凸部）
１０…回動アーム
１１…付勢部材（ねじりコイルバネ）
１２…係合部（係合部材）
【図１】
0003783441.tif 000002
【図２】
0003783441.tif 000003
【図３】
0003783441.tif 000004
【図４】
0003783441.tif 000005
【図５】
0003783441.tif 000006
【図６】
0003783441.tif 000007
【図７】
0003783441.tif 000008